(57)【要約】【課題】作業者の熟練度が低かったとしても建築物等に固定する作業が容易な竪樋用控金具を提供することを課題とする。【解決手段】竪樋Ｐの外周面に当接することにより前記竪樋Ｐを支持する本体部２と、前記本体部２を建築物等の取付対象物に固定するため、前記本体部２を外方に向かい貫通して前記取付対象物にねじ込まれるねじ部材３と、前記本体部２に取り付けられ、前記ねじ部材３が有する頭部３２を前記本体部２へ押さえつける押さえ部４と、を備え、前記押さえ部４は、前記本体部２へ取り付けられた状態で、前記本体部２が有するねじ貫通孔２１２を覆い、かつ、前記ねじ部材３の前記頭部３２における外周部３２２に対して、工具により前記ねじ部材３が回転できる程度の接触力で接触する、竪樋用控金具１である。【選択図】図３
2019112810.tif 000002
【特許請求の範囲】
【請求項１】
竪樋の外周面に当接することにより前記竪樋を支持する本体部と、
前記本体部を建築物等の取付対象物に固定するため、前記本体部を外方に向かい貫通して前記取付対象物にねじ込まれるねじ部材と、
前記本体部に取り付けられ、前記ねじ部材が有する頭部を前記本体部へ押さえつける押さえ部と、を備え、
前記押さえ部は、前記本体部へ取り付けられた状態で、前記本体部が有するねじ貫通孔の周囲を覆い、かつ、前記ねじ部材の前記頭部における外周部に対して、工具により前記ねじ部材が回転できる程度の接触力で接触する、竪樋用控金具。
【請求項２】
前記押さえ部は、前記本体部に対して嵌合により固定される、請求項１に記載の竪樋用控金具。
【請求項３】
前記ねじ部材の前記頭部は、径内側に、前記ねじ部材を回転させる工具が接続される工具接続部を備え、径外側に、前記押さえ部が接触する平板状の鍔部を備える、請求項１または２に記載の竪樋用控金具。
【請求項４】
前記本体部は、前記取付対象物に固定された際に前記取付対象物の側に位置する基部と、前記基部に対して移動可能に設けられた覆い部とを備える、請求項１〜３のいずれかに記載の竪樋用控金具。
【発明の詳細な説明】
【技術分野】
【０００１】
本発明は、雨樋の一部を構成する竪樋を建築物等に固定する際に用いる竪樋用控金具に関するものである。
【背景技術】
【０００２】
建築物の屋根等に落下した雨水を排出するために用いる雨樋のうち、屋根等から雨水を受ける軒樋等の排水部材に接続されて、雨水を下方に導くために用いられる竪樋がある。この竪樋を建築物等に固定する際に用いる竪樋用控金具に関し、例えば、本願の出願人のうち一社が以前出願した特許文献１に記載のものがある。
【０００３】
特許文献１に記載の竪樋用控金具は、建築物等に埋め込まれる支持部材を備えている。この支持部材として釘が用いられている。
【先行技術文献】
【特許文献】
【０００４】
【特許文献１】特開２０１６−３５０６号公報
【発明の概要】
【発明が解決しようとする課題】
【０００５】
このように支持部材として釘が用いられていると、設置現場において作業者は金槌で釘を打ち込む作業が必要になる。ところが、作業者の熟練度が低い場合には、釘の打ち込みを失敗して別の部分を打撃してしまい、竪樋用控金具を変形させてしまうことがあった。そうすると、変形の修正作業が必要となったり、修正不能な場合には変形した竪樋用控金具を廃棄しなければならなくなったりするため問題であった。
【０００６】
そこで本発明は、作業者の熟練度が低かったとしても建築物等に固定する作業が容易な竪樋用控金具を提供することを課題とする。
【課題を解決するための手段】
【０００７】
本発明は、竪樋の外周面に当接することにより前記竪樋を支持する本体部と、前記本体部を建築物等の取付対象物に固定するため、前記本体部を外方に向かい貫通して前記取付対象物にねじ込まれるねじ部材と、前記本体部に取り付けられ、前記ねじ部材が有する頭部を前記本体部へ押さえつける押さえ部と、を備え、前記押さえ部は、前記本体部へ取り付けられた状態で、前記本体部が有するねじ貫通孔の周囲を覆い、かつ、前記ねじ部材の前記頭部における外周部に対して、工具により前記ねじ部材が回転できる程度の接触力で接触する、竪樋用控金具である。
【０００８】
この構成によると、工具により建築物等に固定できるねじ部材を採用しており、このねじ部材が押さえ部によって本体部に押さえつけられた状態とされている。このため、作業者の熟練度が低かったとしても確実な施工が可能である。
【０００９】
また、前記押さえ部は、前記本体部に対して嵌合により固定されるものとできる。
【００１０】
この構成によると、嵌合によって押さえ部を本体部に確実に固定できる。
【００１１】
また、前記ねじ部材の前記頭部は、径内側に、前記ねじ部材を回転させる工具が接続される工具接続部を備え、径外側に、前記押さえ部が接触する平板状の鍔部を備えるものとできる。
【００１２】
この構成によると、鍔部が存在することで、押さえ部によりねじ部材を押さえつけることが確実にできる。
【００１３】
また、前記本体部は、前記取付対象物に固定された際に前記取付対象物の側に位置する基部と、前記基部に対して移動可能に設けられた覆い部とを備えるものとできる。
【００１４】
この構成によると、覆い部を基部から移動させ、ねじ部材の頭部を露出させることで、工具を用いたねじ部材のねじ込み作業が容易にできる。
【発明の効果】
【００１５】
本発明によると、確実な施工が可能なように構成されているから、作業者の熟練度が低かったとしても、竪樋用控金具を建築物等に固定する作業が容易である。
【図面の簡単な説明】
【００１６】
【図１】本発明の一実施形態に係る竪樋用控金具を正面側から見た場合の斜視図である。
【図２】同竪樋用控金具を背面側から見た場合の斜視図である。
【図３】同竪樋用控金具の一部を示す横断面図である。
【図４】同竪樋用控金具の一部を示す縦断面図である。
【図５】本発明の他の実施形態に係る竪樋用控金具を正面側から見た場合の斜視図であって、本体部を一部のみ示したものである。
【図６】同竪樋用控金具の一部を示す縦断面図である。
【発明を実施するための形態】
【００１７】
次に、本発明につき、一実施形態を取り上げて説明を行う。実施形態の竪樋用控金具１は、図１または図２に示すものである。この竪樋用控金具１は、本体部２とねじ部材３と押さえ部４とを備える。
【００１８】
本体部２は、竪樋Ｐの外周面に当接することにより竪樋Ｐを支持する部分である。本実施形態では、図３に示すように、竪樋（破線で図示）Ｐの外周面を取り巻くように本体部２が配置され、本体部２における覆い部２２の内面が、竪樋Ｐの外周面に一部を除いて当接する。
【００１９】
本体部２は、建築物等の取付対象物に固定された際に取付対象物の側に位置する基部２１と、前記基部２１に対して移動可能に設けられた覆い部２２とを備える。基部２１と覆い部２２は、周方向の一端側がヒンジ部２３によって回動可能に接続されている。また、他端側はフック部２４によって着脱可能に接続されている。フック部２４を開放した状態で基部２１に対して覆い部２２を回動させることにより、覆い部２２を基部２１から移動させ、基部２１の内面側を露出した状態とすることができる。この状態で、ねじ部材３の頭部３２が露出されることになるから、工具の先端部をねじ部材３の頭部３２に接続させることが容易である。よって、工具を用いたねじ部材３のねじ込み作業が容易にできる。
【００２０】
基部２１には外方に突出した突出部２１１が形成されている。この突出部２１１を貫通してねじ貫通孔２１２が形成されている。また、突出部２１１には押さえ部４が取り付けられている。図２に示すように、突出部２１１にはねじ部材３の頭部３２が配置される凹部２１４が形成されている。このように基部２１に凹部２１４を設けることで、取付対象物にねじ込まれたねじ部材３の頭部３２が、確実に基部２１を押さえつけることができるため、本体部２の取付対象物への設置状態を安定させることができる。
【００２１】
ねじ部材３は、本体部２を外方に向かい貫通して建築物等の取付対象物にねじ込まれる部分である。これにより、本体部２を取付対象物に固定することができる。ねじ部材３は、丸棒状の軸部３１と、軸部３１よりも大径の頭部３２とを備える。軸部３１の外周面にはねじ山３１１が形成されており、工具によってねじ部材３を、ねじが締まる方向に回転させることで、取付対象物にねじ込んでいくことができる。従来の打撃作業が必要であった釘に比べ、工具を接続したままねじ込んでいけばいいので、比較的熟練度が低い作業者であっても失敗しにくい。
【００２２】
頭部３２の径寸法は、本体部２に形成されているねじ貫通孔２１２よりも大きく、ねじ部材３から本体部２が外れないようになっている。図４に示すように、本実施形態の頭部３２は、径内側に、ねじ部材３を回転させる工具が接続される工具接続部３２１を備える。本実施形態の工具接続部３２１は、プラスドライバーが接続できる十字形の溝として形成されている。そして、径外側に、押さえ部４が接触する平板状の鍔部３２２を備える。本実施形態では工具接続部３２１と鍔部３２２との間に段差が形成されているが、この段差はなくてもよい。頭部３２が鍔部３２２を備えることで、押さえ部４によりねじ部材３を押さえつけることが確実にできる。ただし、なべねじの頭部の一部である場合のように、鍔部３２２が湾曲した形状であると、押さえ部４によるねじ部材３の接触が点接触や線接触になってしまうことから、押さえつけが不安定になる。一方、本実施形態のように鍔部３２２が平板状であると、押さえ部４によるねじ部材３の接触を面接触とできる。よって、押さえ部４によりねじ部材３を安定して押さえつけることができるので好ましい。なお、ねじ部材３は、頭部３２に鍔部３２２のような工具接続部３２１と明瞭に区別できる部分が必ずしも設けられていなくてもよい。
【００２３】
押さえ部４は、本体部２における突出部２１１に取り付けられ、ねじ部材３が有する頭部３２を本体部２へ押さえつける部分である。この押さえ部４は板状であり、本体部２に対して嵌合により固定される。具体的には、図２に示すように、押さえ部４の両端部が折り返され、本体部２に対してかしめられることで取り付けられている。この押さえ部４は、本体部２へ取り付けられた状態で、本体部２が有するねじ貫通孔２１２の周囲を覆う。押さえ部４のうち、ねじ貫通孔２１２の周囲を覆う部分である内周部４１は外周部分よりも一段低くなっている。この内周部４１は、ねじ部材３の頭部３２における外周部（具体的には鍔部）３２２に対して、作業者の素手ではねじ部材３を回転させられないものの、工具によりねじ部材３が回転できる程度の接触力で接触する。これにより、この押さえ部４によってねじ部材３が本体部２に押さえつけられた状態とされる。よって、ねじ部材３が本体部２と一体化される。
【００２４】
ここで、例えば本体部２と完全に分離したねじ部材３をねじ込んでいく場合、作業者は本体部２とねじ部材３とをそれぞれ支持しながらねじ込み作業を行う必要がある。一方、本実施形態のようにねじ部材３が本体部２と一体化されていると、ねじ込みの際、作業者は本体部２だけを支持すればよい。よって、作業者の熟練度が低かったとしても確実な施工が可能である。
【００２５】
ねじ部材３のねじ込みに使用する工具は、インパクトドライバー等の空気圧または電力により駆動される自動工具であってもよいし、一般的なドライバー等の手動工具であってもよい。前述のように、覆い部２２を基部２１から移動させると、ねじ部材３の頭部３２が露出されることになるから、工具の先端部をねじ部材３の頭部３２に接続させることが容易となる。また、押さえ部４によってねじ部材３が本体部２に押さえつけられた状態となっているから、自動工具を用いた場合であっても、工具の駆動力を受けてねじ部材３がふらつく（暴れる）ことを抑制でき、確実なねじ込みが可能である。
【００２６】
以上、本発明の一実施形態について説明したが、本発明は前記実施形態に限定されるものではなく、本発明の要旨を逸脱しない範囲内において種々の変更を加えることができる。
【００２７】
例えば、他の実施形態について簡単に説明する。この実施形態は、図５、図６に示すように（図示の符号は前記実施形態と基本的に同一としている）、押さえ部４における内周部４１ａが図示上方に凸になっている点が前記実施形態と相違する。また、この実施形態では、頭部３２が凹部２１４から浮いた状態になっている。このように、種々の形状に変更して実施が可能である。
【符号の説明】
【００２８】
１          竪樋用控金具
２          本体部
２１        基部
２１２      ねじ貫通孔
２２        覆い部
３          ねじ部材
３１        軸部
３２        頭部
３２１      工具接続部
３２２      頭部の外周部、鍔部
４          押さえ部
Ｐ          竪樋
【図１】
2019112810.tif 000003
【図２】
2019112810.tif 000004
【図３】
2019112810.tif 000005
【図４】
2019112810.tif 000006
【図５】
2019112810.tif 000007
【図６】
2019112810.tif 000008